(57)【特許請求の範囲】
【請求項１】
液透過性の表面シート、液不透過性の裏面シート及びこれら両シート間に介在配置された吸収体を備え、
着用時に着用者の腹側に位置する腹側部と、背側に位置する背側部と、該腹側部及び該背側部間に位置する股下部とに区分されており、
上記腹側部の左右両側縁部と上記背側部の左右両側縁部とがそれぞれ接合されてウエスト開口部及び一対のレッグ開口部が形成されており、
該ウエスト開口部及び該レッグ開口部の周縁部に、該周縁部の略全周に亘って連続したギャザーを形成するウエスト部用弾性部材及びレッグ部用弾性部材を備えており、
上記レッグ部用弾性部材は、上記レッグ開口部の周縁部に位置し且つおむつの長手方向中央部において上記吸収体を横断するように位置するパンツ型の使い捨ておむつにおいて、
上記吸収体のＴａｂｅｒこわさが５．０ｇｆ・ｃｍ以下であり、
上記レッグ部用弾性部材は、第１レッグ部用弾性部材及び第２レッグ部用弾性部材とからなり、
上記股下部には、上記吸収体と上記裏面シートとが接着剤を介して接着されて形成されてなる、長さが５０ｍｍ以上であり且つ幅が５０ｍｍ以上である矩形状の接着領域が、その一辺をおむつの長手方向に向けて設けられており、該接着領域において、上記吸収体を横断している上記第１レッグ部用弾性部材及び上記第２レッグ部用弾性部材が配されていることを特徴とするパンツ型の使い捨ておむつ。
【請求項２】
上記吸収体の厚みが０．５〜５．０ｍｍである請求項１記載のパンツ型の使い捨ておむつ。
【請求項３】
上記接着領域のＴａｂｅｒこわさが２．０〜８．０ｇｆ・ｃｍである請求項１記載のパンツ型の使い捨ておむつ。
【発明の詳細な説明】
【０００１】
【発明の属する技術分野】
本発明は、フィット性に優れ、薄型で性能に優れた、特に幼児用、大人用、あるいは失禁者用のパンツ型おむつとして有用なパンツ型の使い捨ておむつに関する。
【０００２】
【従来の技術及び発明が解決しようとする課題】
従来、使い捨ておむつとしては、テープファスナー等の締結手段を用いた展開型の使い捨ておむつが主流であったが、近年、パンツ型の使い捨ておむつが上市されている。このパンツ型おむつは立ったままの状態でも装着及び離脱が容易であり、幼児の「おむつ離れ」を促進するためのトイレットトレーニング用として、または失禁者等の成人用のおむつとして有用とされている。
【０００３】
従来のパンツ型の使い捨ておむつとしては、例えば、図８に示す使い捨ておむつなどが用いられている。
図８に示す使い捨ておむつ１００は、液透過性の表面シート（図示せず）、液不透過性の裏面シート１１２及びこれら両面シート間に介在配置された吸収体（図示せず）とを備え、着用時に着用者の腹側に位置する腹側部Ａ’と、背側に位置する背側部（図示せず）と、該腹側部Ａ’及び該背側部間に位置する股下部Ｃ’とに区分されており、上記腹側部Ａの左右両側縁部と上記背側部の左右両側縁部とがそれぞれ接合されてウエスト開口部１１６及び一対のレッグ開口部１１７が形成されている。
更に、上記のパンツ型の使い捨ておむつ１００では、ウエスト開口部１１６及び一対の上記レッグ開口部１１７の周縁部１１６’、１１７’それぞれに平ゴム等の弾性部材１１８，１１９が設けられており、各周縁部１１６’、１１７’の略全周にわたって連続したウエストギャザー及びレッグギャザーが形成されており、これにより、ウエスト開口部１１６及びレッグ開口部１１７の周縁部１１６’、１１７’が装着者の体型や動きに合わせて変形するようになっている。
【０００４】
従来のパンツ型おむつにおいては、このような構成とすることにより、装着者の活発な運動や装着者間における体型の差等に対して追従性・適応性が発揮されて、体液のモレ等が回避されるようになっている。
【０００５】
しかし、上述のような構成の従来のパンツ型おむつでは、装着者間の体型の差に対する適応性には限界があると共に、パンツ型おむつを使用する幼児は特に運動が激しかったり、おむつ替えを極端に嫌ったりすることから、未だ十分なフィット性及び柔軟性を有しておらず、よりフィット 性が向上され、柔軟なパンツ型の使い捨ておむつが求められているのが現状である。
また、その一方でパンツ型おむつは持ち運びにかさばるとか、使用後のおむつがゴミとしてかさばるといった問題点も挙げられている。
【０００６】
従って、本発明の目的は、フィット性に優れ、柔軟性に優れ、更には廃棄時にゴミとしてあまりかさばらないパンツ型の使い捨ておむつを提供することにある。
【０００７】
【課題を解決するための手段】
本発明は、液透過性の表面シート、液不透過性の裏面シート及びこれら両シート間に介在配置された吸収体を備え、
着用時に着用者の腹側に位置する腹側部と、背側に位置する背側部と、該腹側部及び該背側部間に位置する股下部とに区分されており、
上記腹側部の左右両側縁部と上記背側部の左右両側縁部とがそれぞれ接合されてウエスト開口部及び一対のレッグ開口部が形成されており、
該ウエスト開口部及び該レッグ開口部の周縁部に、該周縁部の略全周に亘って連続したギャザーを形成するウエスト部用弾性部材及びレッグ部用弾性部材を備えており、
上記レッグ部用弾性部材は、上記レッグ開口部の周縁部に位置し且つおむつの長手方向中央部において上記吸収体を横断するように位置するパンツ型の使い捨ておむつにおいて、
上記吸収体のＴａｂｅｒこわさが５．０ｇｆ・ｃｍ以下であり、
上記レッグ部用弾性部材は、第１レッグ部用弾性部材及び第２レッグ部用弾性部材とからなり、
上記股下部には、上記吸収体と上記裏面シートとが接着剤を介して接着されて形成されてなる、長さが５０ｍｍ以上であり且つ幅が５０ｍｍ以上である矩形状の接着領域が、その一辺をおむつの長手方向に向けて設けられており、該接着領域において、上記吸収体を横断している上記第１レッグ部用弾性部材及び上記第２レッグ部用弾性部材が配されていることを特徴とするパンツ型の使い捨ておむつを提供することにより、上記目的を達成したものである。
【０００８】
【発明の実施の形態】
以下、本発明のパンツ型の使い捨ておむつの一実施形態について図面を参照しながら具体的に説明する。
図１は、本発明のパンツ型の使い捨ておむつの一実施形態を示す斜視図であり、図２は、図１に示す使い捨ておむつを展開した状態を表面シートを省略して示す展開図である。
【０００９】
本実施形態のパンツ型の使い捨ておむつ１０は、図１に示すように、液透過性の表面シート１１、液不透過性の裏面シート１２及びこれら両シート１１，１２間に介在配置された吸収体１３を備え、着用時に着用者の腹側に位置する腹側部Ａと、背側に位置する背側部Ｂと、該腹側部Ａ及び該背側部Ｂ間に位置する股下部Ｃとに区分されており、上記腹側部Ａの左右両側縁部Ａ１，Ａ２と上記背側部Ｂの左右両側縁部Ｂ１，Ｂ２とがそれぞれ接合されてウエスト開口部１６及び一対のレッグ開口部１７，１７が形成されており、該ウエスト開口部１６及び該レッグ開口部１７の周縁部１６ａ，１７ａに、該周縁部１６ａ，１７ａの略全周に亘って連続したギャザーを形成するウエスト部用弾性部材１８及びレッグ部用弾性部材１９を備えており、上記レッグ部用弾性部材１９は、レッグ開口部１７の周縁部１７ａに位置し且つおむつの長手方向中央部Ｃ１において上記吸収体１３を横断するように位置する。
【００１０】
更に詳述すると、上記表面シート１１、上記裏面シート１２及び上記吸収体１３は、それぞれ、その長手方向中央部が括れた砂時計断面状に形成されている。また、上記表面シート１１及び上記裏面シート１２は、それぞれ吸収体１３より長く且つ幅広に形成されており、吸収体１３の周縁において表面シート１１と裏面シート１２とが接着されて、両シート間に吸収体１３が介在されている。尚、表面シート１１は、例えば長方形状などの形状とすることもできる。
上記表面シート１１及び上記裏面シート１２としては、通常、使い捨ておむつに用いられるものが特に制限なく用いられる。
【００１１】
また、腹側部Ａの左右両側縁部Ａ１，Ａ２と上記背側部Ｂの左右両側縁部Ｂ１，Ｂ２とは、溶着接合部１５において接合されている。該溶着接合部１５は、ヒートシール、高周波シール、超音波シール等の手法により、上記腹側部Ａの側縁部及び上記背側部Ｂの側縁部において、それぞれの表面シート同士を当接させて溶着させることにより形成されている。
また、表面シートを裏面シートよりも小さいサイズのものとした場合には、裏面シート同士を当接させて接合しても良い。
【００１２】
上記ウエスト部用弾性部材１８は、腹側部Ａ及び背側部Ｂに４本ずつ、それぞれ、ウエスト開口部の開口部縁１６にほぼ平行に配設されている。
また、上記第１及び第２レッグ部用弾性部材１９ａ，１９ｂは、腹側部Ａから股下部Ｃを通り背側部Ｂにかけて、左右両レッグ開口部１７，１７の開口部縁１７ｂにほぼ平行にそれぞれ３本ずつ配設されている。そして、股下部Ｃにもギャザーがある程度の伸長率を維持しながら形成されている。
これらのレッグ部用弾性部材１９ａ，１９ｂは、レッグ開口部１７の開口部縁１７ｂから約４ｃｍの幅の間にわたって配設されている。
上記ウエスト部用弾性部材１８及び上記レッグ部用弾性部材１９は、腹側部Ａの側縁部Ａ１，Ａ２と背側部Ｂの側縁部Ｂ１，Ｂ２とを溶着・接合した場合にその溶着接合部１５において同一のウエスト部用弾性部材１８の端部同士及び同一のレッグ部用弾性部材１９の端部同士が重複するように配設されており、ウエスト開口部１６の周縁部１６ａ及びレッグ開口部１７の周縁部１７ａにおいて実質的に連続したリング状のギャザーが形成されるようになっている。
【００１３】
上記ウエスト部用弾性部材１８及び上記レッグ部用弾性部材１９としては、天然ゴム、ポリウレタン系樹脂又は発泡ウレタン系樹脂等を帯状又はひも状に形成したものが好ましく用いられる。
上記ウエスト部用弾性部材１８は、３０％伸張時の応力が１０〜５０ｇｆのものであり、伸長率６０〜１６０％の状態で表面シート１１及び裏面シート１２の間に接着剤により接合・固定されている。
また、上記レッグ部用弾性部材１９は、３０％伸張時の応力が１０〜５０ｇｆのものであり、伸長率６０〜１６０％の状態で表面シート１１及び裏面シート１２の間に接着剤により接合・固定されている。
なお、上記「伸張率」は、自然長に対する、伸張され増加した分の長さの割合であり、例えば、長さ１０ｃｍのものを２０ｃｍに伸張すると、その伸長率は１００％とされる。
また、上記接着剤としては、通常、使い捨ておむつに用いられるものを特に制限なく、用いることができる。
【００１４】
而して、本形態の使い捨ておむつ１０は、上記吸収体１３のＴａｂｅｒこわさが５．０ｇｆ・ｃｍ以下、好ましくは１．０〜３．０ｇｆ・ｃｍであり、上記レッグ部用弾性部材は、第１レッグ部用弾性部材及び第２レッグ部用弾性部材とからなり、上記股下部Ｃには、上記吸収体１３と上記裏面シート１２とが接着剤を介して接着されて形成されてなる、長さが５０ｍｍ以上、好ましくは６０〜１５０ｍｍであり且つ幅が５０ｍｍ以上、好ましくは６０〜１５０ｍｍである矩形状（本形態においては長方形状）の接着領域２０が、その一辺（該接着領域の幅方向）をおむつの長手方向に向けて設けられており、該接着領域２０において、上記吸収体１３を横断している上記第１レッグ部用弾性部材１９ａ及び第２レッグ部用弾性部材１９ｂが配されている。
【００１５】
以下、更に詳述する。
上記Ｔａｂｅｒこわさの値は、吸収体の柔軟性を示す値であり、これが使い捨ておむつのフィット性に深く関与することを本発明の発明者らは知見したものである。即ち、上記Ｔａｂｅｒこわさが５．０ｇｆ・ｃｍを超えると、フィット性が悪化し、使い捨ておむつが着用者の体型の差異や着用者の動きに追従できずに、着用中に着用者からズレ落ちやすくなる。
【００１６】
上記Taber こわさは、特公昭５２−４０２６７号公報の第６欄第４０行〜第７欄１行に記載されているTAPPI  T489os-70により測定されるものである。
具体的には、吸収体をそのまま（台紙等を付けたまま）１．５×２．７５インチの長方形状にカットしてサンプルを得、得られたサンプルについて公知のTaber Ｖ−５こわさ試験機を用いてTaber こわさを測定する。
【００１７】
上記の範囲のTaber こわさを有する吸収体は、吸収体のパルプ量を減少させて薄型化にしたり、吸収体の圧縮時の条件を緩やかにするなどの手法により容易に得られる。
【００１８】
上記吸収体１３は、上記の範囲のTaber こわさを有すれば公知の材料を用いて形成されてなるものを特に制限なく用いることができるが、例えば、股下部が括れた砂時計型でフラッシュパルプや高吸収性ポリマーなどからなるものを用いることができる。また、その他に熱溶融繊維などの化学合成樹脂やパルプのネットワークを高めるために変性パルプ繊維やレーヨン繊維、バインダー繊維やバインダー化合物などが混合されてもよい。
【００１９】
上記吸収体１３の厚みは、０．５〜５．０ｍｍとするのが好ましく、１．０〜３．０ｍｍとするのが更に好ましい。
上記厚みが、０．５ｍｍ未満であると、吸収体が硬化し、フィット性を損ねたり、吸収性能が低下したりする場合があり、５．０ｍｍを超えると、おむつ全体の厚みが増して、フィット性を損ねたり、持ち運びに不便である場合があるので、上記範囲内とするのが好ましい。
【００２０】
上記のような柔軟性に優れた吸収体１３を導入することにより、ウエスト開口部１６の周縁部１６ａやレッグ開口部１７の周縁部１７ａのフィット性は向上するが、単に柔軟性に優れた上記吸収体１３を採用しただけでは、股下部Ｃにおいて吸収体１３を横切る第１及び第２レッグ部用弾性部材１９ａ，１９ｂの影響で吸収体１３がかなり縮まってしまい、使い捨ておむつ１０の股間部が縮まることにより、股下部Ｃにおけるモレ防止性能が極端に低下する。
そこで、本発明では、上記接着領域２０を設けることにより、股下部Ｃの吸収体１３を、所定の領域において裏面シート１２と接着固定させて、股下部Ｃを一体化させ、股下部Ｃの上記第１及び第２レッグ部用弾性部材１９ａ，１９ｂによるヨレを防止し、股下部Ｃにおけるモレ防止性能の著しい低下を回避したものである。
尚、ここで述べる吸収体の接着とは、吸収体と吸収体の外側に位置する製品の吸収体以外の部分（部材、本形態においては裏面シート）を接着固定することをいう。
【００２１】
上記接着領域２０の長さ及び幅がそれぞれ50mm未満であると、股下部Ｃの股間部分がヨレて股下部の吸収性能が低下する。また、長さ及び幅がそれぞれ１５０mmを超えると、ウエスト開口部１６の周縁部１６ａのフィット性が低下するだけでなく、裏面シートの肌触りも低下するので、好ましくない。
また、上記接着領域２０は、股下部Ｃの中央部Ｃ１に設けられている。ここで、該「中央部」とは、吸収体の長手方向中心線と幅方向中心線との交点を中心点とし、該中心点を中心とした部分を意味する。
【００２２】
また、股下部Ｃへの接着剤の塗工量は、股下部Ｃの柔軟性および形状安定性を考慮すると、１０〜５０ｇ／ｍ2 とするのが好ましく、２０〜３０ｇ／ｍ2 とするのが更に好ましい。
尚、この際用いられる接着剤としては、通常、使い捨ておむつに用いられるものを特に制限なく用いることができる。
【００２３】
また、上記股下部Ｃの中央部Ｃ１における接着領域２０のＴａｂｅｒこわさは、おむつ柔軟性および形状安定性を考慮すると、２〜８ｇｆ・ｃｍとするのが好ましく、３〜６ｇｆ・ｃｍとするのが更に好ましい。
【００２４】
また、上記第１レッグ部用弾性部材１９ａは、上記腹側部Ａの両側縁部Ａ１，Ａ２から上記股下部Ｃにおけるおむつの長手方向中央部Ｃ１にかけてレッグ開口部１７の周縁部１７ａに位置し、該長手方向中央部Ｃ１において上記吸収体１３を横断するように位置する。また、上記第２レッグ部用弾性部材１９ｂは、上記背側部Ｂの両側縁部Ｂ１，Ｂ２から上記股下部Ｃにおけるおむつの長手方向中央部Ｃ１にかけてレッグ開口部１７の周縁部１７ａに位置し、該長手方向中央部Ｃ１において上記吸収体１３を横断するように位置する。
そして、上記第レッグ部用弾性部材１９ａ及び第２レッグ部用弾性部材１９ｂは、それぞれ、上記接着領域２０において、上記吸収体１３と上記裏面シート１２との間に挟持固定されている。
【００２５】
本実施形態のパンツ型の使い捨ておむつ１０は、上述の如く構成されているので、薄型で柔軟性に優れた吸収体１３を有しており、これによりフィット性が向上されていると共に、上記接着領域２０により股下のモレ防止性能が向上され、さらには肌触りの良いものである。
尚、本形態の使い捨ておむつは、通常の使い捨ておむつと同様にして製造でき、また通常のパンツ型の使い捨ておむつと同様に使用できる。
【００２６】
図３〜図７を参照して、本発明のパンツ型の使い捨ておむつの他の形態について詳述する。
ここで、図３は、本発明のパンツ型の使い捨ておむつの他の形態を示す展開図であり、図４は、本発明のパンツ型の使い捨ておむつの他の形態を示す展開図であり、図５は、本発明のパンツ型の使い捨ておむつの他の形態を示す展開図であり、図６は、本発明のパンツ型の使い捨ておむつの他の形態を示す展開図であり、図７は、本発明のパンツ型の使い捨ておむつの他の形態を示す展開図である。尚、以下の説明においては、特に上述した図１及び２に示す形態と異なる点について説明する。特に詳述しない点については、上述した図１及び２に示す形態において下説明が適宜適用される。
【００２７】
図３に示す形態の使い捨ておむつ１０は、３本づつ設けられた上記第１及び第２のレッグ部用弾性部材１９ａ，１９ｂが、いずれも、レッグ開口部１７の周縁部１７ａにおいて重なるように配されており、股下部Ｃの中央部Ｃ１における吸収体１３を横切る部分においてはそれぞれ略平行に配されている。
【００２８】
図４に示す形態の使い捨ておむつ１０は、３本づつ設けられた上記第１及び第２のレッグ部用弾性部材１９ａ，１９ｂが、いずれも、レッグ開口部１７の周縁部１７ａにおいては、それぞれがほぼ並行に配されており、股下部Ｃの中央部Ｃ１における吸収体１３を横切る部分においてはそれぞれが重なるように配されている。
【００２９】
図５に示す形態の使い捨ておむつ１０は、３本づつ設けられた上記第１及び第２のレッグ部用弾性部材１９ａ，１９ｂが、いずれも、レッグ開口部１７の周縁部１７ａ及び股下部Ｃの中央部Ｃ１における吸収体１３を横切る部分において重なるように配されている。
【００３０】
図６に示す形態の使い捨ておむつ１０は、３本づつ設けられた上記第１及び第２のレッグ部用弾性部材１９ａ，１９ｂが、いずれも、レッグ開口部１７の周縁部１７ａにおいて重なるように配されており、股下部Ｃの中央部Ｃ１における吸収体１３を横切る部分においては、第１レッグ部用弾性部材１９ａと第２レッグ部用弾性部材１９ｂとが交差して、第１レッグ部用弾性部材１９ａが背側部Ｂ側に位置し、第２レッグ部用弾性部材１９ｂが腹側部Ａ側に位置するように配されている。
【００３１】
図７に示す形態の使い捨ておむつ１０は、３本づつ設けられた上記第１及び第２のレッグ部用弾性部材１９ａ，１９ｂが、いずれも、レッグ開口部１７の周縁部１７ａにおいて重なるように配されている。
また、上記第１レッグ部用弾性部材１９ａは、上記腹側部Ａの側縁部Ａ１から上記股下部Ｃにおけるおむつの長手方向中央部Ｃ１にかけてレッグ開口部１７の周縁部１７ａに位置し、該長手方向中央部Ｃ１において上記吸収体１３を横断するように位置し、更に、中央部Ｃ１から上記背側部Ｂの側縁部Ｂ２にかけてはレッグ開口部１７の周縁部１７ａに位置する。
また、上記第２レッグ部用弾性部材１９ｂは、上記背側部Ｂの側縁部Ｂ１から上記股下部Ｃにおけるおむつの長手方向中央部Ｃ１にかけてレッグ開口部１７の周縁部１７ａに位置し、該長手方向中央部Ｃ１において上記吸収体１３を横断するように位置し、更に、中央部Ｃ１から上記腹側部Ａの側縁部Ａ２にかけてはレッグ開口部１７の周縁部１７ａに位置する。
また、股下部Ｃの中央部Ｃ１における吸収体１３を横切る部分においては、第１レッグ部用弾性部材１９ａと第２レッグ部用弾性部材１９ｂとが交差して、第１レッグ部用弾性部材１９ａが腹側部Ａ側に位置し、第２レッグ部用弾性部材１９ｂが背側部Ｂ側に位置するように配されている。
【００３２】
尚、上記の図３〜７に示す形態の使い捨ておむつにおいては、いずれの形態においても、股下部Ｃの中央部Ｃ１において、吸収体１３を横切る第１及び第２レッグ部用弾性部材１９ａ，１９ｂを固定するように、上記接着領域２０が設けられている。
【００３３】
本発明は上述した実施形態に限定されるものではなく、本発明の趣旨を逸脱しない限り適宜変更可能である。
例えば、上記レッグ部用弾性部材１９は、上記接着領域において固定されていなくても良い。即ち、上述の形態においては、上記レッグ部用弾性部材１９が吸収体１３と裏面シート１２とにより挟持固定されているものを例示して説明したが、該レッグ部用弾性部材１９を上記裏面シート１２の表面（吸収体１３と接していない方の面）に位置するように配し、更に該裏面シートの表面に通常使い捨ておむつに用いられる外装用の不織布を配するなどしても良い。要するに、上記レッグ部用弾性部材１９は、図２に示すような平面図で観たときに上記接着領域２０と重なるように配されていれば、該接着領域２０において固着されているか否かに関わらず、本発明の所望の効果を奏する。
【００３４】
【発明の効果】
本発明のパンツ型の使い捨ておむつは、肌触りの良い、フィット性に優れ、柔軟性に優れ、更には廃棄時においてゴミとしてかさばらないものである。
【図面の簡単な説明】
【図１】図１は、本発明のパンツ型の使い捨ておむつの一実施形態を示す斜視図である。
【図２】図２は、図１に示す使い捨ておむつを展開した状態を表面シートを省略して示す展開図である。
【図３】図３は、本発明の他の実施形態のパンツ型の使い捨ておむつを展開した状態を表面シートを省略して示す展開図（図２相当図）である。
【図４】図４は、本発明の他の実施形態のパンツ型の使い捨ておむつを展開した状態を表面シートを省略して示す展開図（図２相当図）である。
【図５】図５は、本発明の他の実施形態のパンツ型の使い捨ておむつを展開した状態を表面シートを省略して示す展開図（図２相当図）である。
【図６】図６は、本発明の他の実施形態のパンツ型の使い捨ておむつを展開した状態を表面シートを省略して示す展開図（図２相当図）である。
【図７】図７は、本発明の他の実施形態のパンツ型の使い捨ておむつを展開した状態を表面シートを省略して示す展開図（図２相当図）である。
【図８】図８は、従来のパンツ型の使い捨ておむつの一実施形態を示す平面図である。
【符号の説明】
10  使い捨ておむつ
11  表面シート
12  裏面シート
13  吸収体
15  溶着接合部
16  ウエスト開口部
16a （ウエスト開口部の）周縁部
16b （ウエスト開口部の）開口部縁
17  レッグ開口部
17a （レッグ開口部の）周縁部
17b （レッグ開口部の）開口部縁
18  ウエスト部用弾性部材
19  レッグ部用弾性部材
19a 第１レッグ部用弾性部材
19b 第２レッグ部用弾性部材
20  接着領域
Ａ  腹側部
Ｂ  背側部
Ｃ    股下部
Ｃ１  中央部
【図１】
0003789185.tif 000002
【図２】
0003789185.tif 000003
【図３】
0003789185.tif 000004
【図４】
0003789185.tif 000005
【図５】
0003789185.tif 000006
【図６】
0003789185.tif 000007
【図７】
0003789185.tif 000008
【図８】
0003789185.tif 000009